(57)【要約】  【課題】  本発明は、セグメント数の異なる放送サービスの切換が行われても、継続して受信ができるとともに省電力化を図ることができるデジタル放送受信装置を提供することを目的とする。  【解決手段】  ＢＰＦ１４ａ〜１４ｃ、周波数変換部１５ａ〜１５ｃ、及び１セグメント復調部１６ａ〜１６ｃを駆動して、３セグメント放送サービスを受信しているとき、１セグメント放送サービスの受信への切り換えられると、ＢＰＦ１４ａ，１４ｃ、周波数変換部１５ａ，１５ｃ、及び１セグメント復調部１６ａ，１６ｃを停止させる。これにより動作不要な回路を停止させるとともに、途切れさせずに継続して、放送を再生することができる。【選択図】      図１
2008085941.tif 000002
【特許請求の範囲】
【請求項１】
高周波信号を受信して中間周波数信号に変換するチューナと、該チューナからの中間周波数信号を復調する復調回路と、を備えたデジタル放送受信装置において、
前記復調回路が、
前記チューナからの中間周波数信号を異なる周波数帯域で帯域制限する複数のバンドパスフィルタと、
前記複数のバンドパスフィルタそれぞれで帯域制限された信号をベースバンド信号に変換する複数の周波数変換部と、
前記複数の周波数変換部それぞれからの前記ベースバンド信号を復調する複数の復調部と、
前記複数の復調部で復調されて得られた複数の信号を所定の周波数配置に結合する信号結合部と、
を備え、
受信するデジタル放送の周波数帯域の大きさに応じて、動作させる前記バンドパスフィルタと前記周波数変換部と前記復調部とを選択することを特徴とするデジタル放送受信装置。
【請求項２】
周波数帯域の広いデジタル放送の受信から、該広いデジタル放送と同一の中心周波数であるとともに周波数帯域の狭いデジタル放送の受信へ切り換えるとき、
前記チューナでの帯域制限する周波数帯域の大きさを変更することなく、前記広いデジタル放送を受信しているときに駆動している前記バンドパスフィルタと前記周波数変換部と前記復調部の一部を停止させることで、前記狭いデジタル放送の周波数帯域の大きさに応じた前記バンドパスフィルタと前記周波数変換部と前記復調部とを選択して動作させることを特徴とする請求項１に記載のデジタル放送受信装置。
【請求項３】
前記信号結合部において、前記複数の復調部から出力される複数の信号を周波数帯域の低いものから順に時系列に並べることで結合することを特徴とする請求項１又は請求項２に記載のデジタル放送受信装置。
【請求項４】
前記デジタル放送が直交周波数分割多重伝送方式によって伝送されるとともに、１以上のセグメントで構成される高周波信号によって構成され、
前記バンドパスフィルタが１セグメントに応じた周波数帯域制限を行い、
ｎセグメントの高周波信号によるデジタル放送を受信するとき、ｎ個の前記バンドパスフィルタ、ｎ個の前記周波数変換部、及びｎ個の前記復調部を選択して動作させることを特徴とする請求項１〜請求項３のいずれかに記載のデジタル放送受信装置。
【請求項５】
前記復調部から出力される信号を復号するデコーダ部と、
該デコーダ部で復号されたアナログ信号に基づいて映像及び音声の少なくとも一方を出力する出力部と、
を備えることを特徴とする請求項１〜請求項４のいずれかに記載のデジタル放送受信装置。
【発明の詳細な説明】
【技術分野】
【０００１】
本発明は、直交周波数分割多重（ＯＦＤＭ：Orthogonal Frequency Division Multiplex）伝送方式の放送信号を受信するデジタル放送受信装置に関するもので、特に、異なるセグメント数で送信される放送信号を受信することができるデジタル放送受信装置に関する。
【背景技術】
【０００２】
近年、地上波テレビ放送がアナログからデジタルへ変遷する過渡期であるなど、各種放送がデジタル放送となりつつある。このデジタル放送における伝送方式として、ＯＦＤＭ伝送方式が利用されている。このＯＦＤＭ伝送方式では、送信側で、まず、伝送するデジタルデータが互いに直交する多数の副搬送波（サブキャリア）で変調された後、逆高速フーリエ変換（ＩＦＦＴ：Inverse Fast Fourier Transform）処理により周波数領域から時間領域の信号に変換される。又、受信側では、送信側からの信号を受信すると、高速フーリエ変換（ＦＦＴ： Fast Fourier Transform）処理により時間領域から周波数領域の信号に変換した後、得られた信号の各サブキャリアに対する復調処理を施す。そして、このＯＦＤＭ方式は、使用するサブキャリアの数が数百〜数千と多くなると、各々の変調波のシンボル周期が極めて長くなるため、マルチパス干渉の影響を受けにくくなる。
【０００３】
特に、地上波デジタル放送であるＩＳＤＢ−Ｔ（Integrated Services Digital Broadcasting - Terrestrial）では、６ＭＨｚの帯域幅を１３セグメントに分割し、セグメント毎に搬送波の変調方式を異なるものとすることができる。そして、この１３セグメントの内、中央に配置される１セグメントが、携帯機器向けの放送に利用されている。又、地上波デジタル音声放送であるＩＳＤＢ−ＴＳＢ（Integrated Services Digital Broadcasting - Terrestrial for Sound Broadcasting）では、使用するチャンネルそれぞれの放送が、１セグメント又は３セグメントで構成される複数のサービスが多重された８〜１３セグメントによって成る。即ち、この複数のサービスで１つのチャンネルの放送として送信する方式である連結送信方式が、地上波デジタル音声放送において採用されている。
【０００４】
このように、地上波デジタル音声放送には、３セグメントを利用したサービスである３セグメント放送サービスと、１セグメントを利用したサービスである１セグメント放送サービスとを備える。そして、３セグメント放送サービスでは、周波数軸に並んだ３セグメントの内、中央の１セグメントと両側の２セグメントでは、異なる階層構成として異なるサービスを行う仕様となっている。これにより、１セグメント放送サービス専用のデジタル放送受信装置においても、３セグメント放送サービスによる３セグメントの内、中央の１セグメントを受信して再生することが可能となる。
【０００５】
このように、３セグメント放送サービス及び１セグメント放送サービスで構成される地上波デジタル音声放送を受信するデジタル放送受信装置については、各サービスが占有する周波数帯域が６ＭＨｚのサブキャリア全てとなる地上波デジタル放送と比べて狭いため、受信回路の小型化を図ることができる。更に、各サブキャリアの変調方式として、地上波デジタル放送では、６４ＱＡＭ（Quadrature Amplitude Modulation）などが用いられるが、地上波デジタル音声放送では、移動体通信に適した１６ＱＡＭやＱＰＳＫ（Quardrature Phase Shift Key）などが用いられる。
【０００６】
この地上波デジタル音声放送を受信するデジタル放送受信装置としては、上述のように移動体通信に適した変調方式を採用するとともに、各サービスの周波数帯域が狭いことにより、携帯電話やＰＤＡ（Personal Digital Assistants）などの携帯端末を主眼とおかれている。これにより、小型で低消費電力なデジタル放送受信装置が求められ、図７に示すように、ＯＦＤＭ復調部が１系統となる構成とされる。この図７の構成のデジタル放送受信装置に基づいて、従来のデジタル放送受信装置について以下に説明する。
【０００７】
図７の構成のデジタル放送受信装置は、空中を伝搬する高周波信号（ＲＦ信号）であるＯＦＤＭ信号をアンテナ５０で受信すると、チューナ５１により高周波周波数（ＲＦ周波数）から中間周波数（ＩＦ周波数）へ周波数変換（ダウンコンバート）がなされる。そして、３セグメント放送サービスを受信する場合、チューナ５１において、３セグメント分の周波数帯域制限が行われ、図８（ａ）のような、ＩＦ周波数ＩＦ３となる３セグメント分の周波数帯域によるアナログＯＦＤＭ信号が出力される。このアナログＯＦＤＭ信号は、ＡＤ変換部５２でデジタルＯＦＤＭ信号に変換されると、ヒルベルト変換部５３で同相成分から直交成分が導出されて複素ＯＦＤＭ信号が生成された後、図８（ｂ）のように、ＢＰＦ（Band Pass Filter）５４で不要な周波数成分が除去されて、周波数変換部５５に与えられる。
【０００８】
その後、図８（ｃ）のように、周波数変換部５５で複素ＯＦＤＭ信号をベースバンド信号に周波数変換（ダウンコンバート）した後、このベースバンド信号が３セグメント復調部５６に与えられる。３セグメント復調部５６では、シンボル同期、周波数同期、クロック同期を確立するとともに、ＦＦＴ処理によって時間軸信号を周波数軸信号に変換した後、サブキャリアに割り当てられている信号を等化する。この等化された信号は、誤り訂正部（ＦＥＣ：Forward Error Correction）５７に与えられると、伝送路での歪みなどにより発生した信号誤りを除去するためのデインターリーブやビタビ復号やリードソロモン復号が行われ、３セグメント放送サービスに対するＭＰＥＧ（Moving Pictures Experts Group）−ＴＳ（Transport Stream）信号が生成される。
【０００９】
又、１セグメント放送サービス（３セグメント放送サービスにおいて周波数軸中央に配置された１セグメントによる放送サービスも含む）を受信する場合は、チューナ５１で１セグメント帯域に制限する場合と制限しない場合とがある。まず、チューナ５１で１セグメント帯域に制限しない場合は、３セグメント放送サービスを受信する場合と同様、チューナ５１において３セグメント分の周波数帯域制限が行われる。そして、３セグメント復調部５６まで、３セグメント放送サービスを受信する場合と同様の動作を行い、ＦＥＣ５７において、３セグメント復調部５６で復調された信号から、周波数軸の中央に位置する１セグメントに対応する信号を抽出することで、１セグメント放送サービスの受信が実現される。又、３セグメント放送サービスを受信する場合と同様の動作を行い、ＦＥＣ５７で復号する際において、周波数軸の中央に位置する中央の１セグメントに対するＭＰＥＧ−ＴＳ信号を抽出することでも、１セグメント放送サービスの受信が実現される。
【００１０】
一方、チューナ５１で１セグメント帯域に制限する場合は、チューナ５１でＲＦ信号からＩＦ信号に周波数変換（ダウンコンバート）したとき、図９（ａ）のような、ＩＦ周波数ＩＦ１となる１セグメント分の周波数帯域によるアナログＯＦＤＭ信号が出力される。このとき、このＩＦ周波数ＩＦ１は、３セグメント分の周波数帯域制限を行う場合と比べて、制限される周波数帯域が狭くなるため、ＩＦ周波数ＩＦ３よりも低い値とすることができる。このように、ＩＦ周波数を低くすると、ＡＤ変換部５２でのサンプリング周波数を下げることができるため、省電力化を図ることができる。
【００１１】
そして、この１セグメント分のアナログＯＦＤＭ信号が、ＡＤ変換部５２でデジタルＯＦＤＭ信号に変換されると、ヒルベルト変換部５３で複素ＯＦＤＭ信号とされた後、図９（ｂ）のように、ＢＰＦ５４で不要な周波数成分が除去されて、周波数変換部５５に与えられる。そして、図９（ｃ）のように、周波数変換部５５で複素ＯＦＤＭ信号をベースバンド信号に周波数変換（ダウンコンバート）した後、このベースバンド信号が３セグメント復調部５６に与えられることで、サブキャリアに割り当てられた信号に等化される。その後、ＦＥＣ５７で信号誤りを除去する復号が行われて、１セグメント放送サービスに対するＭＰＥＧ−ＴＳ信号が生成される。
【非特許文献１】映像メディア学会誌Vol.52,No.11,pp.1562〜1566
【非特許文献２】映像メディア学会誌Vol.53,No.11,pp.1467〜1471
【発明の開示】
【発明が解決しようとする課題】
【００１２】
図７のような構成の従来のデジタル放送受信装置において、３セグメント放送サービス及び１セグメント放送サービスいずれをも受信可能であり、３セグメント放送サービスの受信と１セグメント放送サービスの受信とを切り換えることができる。しかしながら、３セグメント放送サービスから１セグメント放送サービスへ受信動作を切り換えるとき、チューナ５１で１セグメントの周波数帯域制限を行わない場合は、途切れることなく受信動作を継続することができるが、ほとんどのブロックを３セグメント放送サービス用に動作させることとなる。そのため、不要な回路を動作させることとなり、消費電力が増大していた。
【００１３】
一方、チューナ５１で１セグメントの周波数帯域制限を行う場合は、全てのブロックを１セグメント放送サービス用に動作させることとなるため、不要な回路を動作させる必要がない。又、上述したように、ＩＦ周波数を低くすることができることによって、ＡＤ変換部５２でのサンプリング周波数を下げることができるため、更に省電力化を図ることができる。しかしながら、チューナ５１においてＩＦ周波数が変更されるため、３セグメント放送サービスの受信動作と１セグメント放送サービスの受信動作との間での切換を行うと、その受信動作が途切れてしまい、継続した受信ができない。
【００１４】
このような問題を鑑みて、本発明は、セグメント数の異なる放送サービスの切換が行われても、継続して受信ができるとともに省電力化を図ることができるデジタル放送受信装置を提供することを目的とする。
【課題を解決するための手段】
【００１５】
上記目的を達成するために、本発明のデジタル放送受信装置は、高周波信号を受信して中間周波数信号に変換するチューナと、該チューナからの中間周波数信号を復調する復調回路と、を備えたデジタル放送受信装置において、前記復調回路が、前記チューナからの中間周波数信号を異なる周波数帯域で帯域制限する複数のバンドパスフィルタと、前記複数のバンドパスフィルタそれぞれで帯域制限された信号をベースバンド信号に変換する複数の周波数変換部と、前記複数の周波数変換部それぞれからの前記ベースバンド信号を復調する複数の復調部と、前記複数の復調部で復調されて得られた複数の信号を所定の周波数配置に結合する信号結合部と、を備え、受信するデジタル放送の周波数帯域の大きさに応じて、動作させる前記バンドパスフィルタと前記周波数変換部と前記復調部とを選択することを特徴とする。
【００１６】
このようなデジタル放送受信装置において、周波数帯域の広いデジタル放送の受信から、該広いデジタル放送と同一の中心周波数であるとともに周波数帯域の狭いデジタル放送の受信へ切り換えるとき、前記チューナでの帯域制限する周波数帯域の大きさを変更することなく、前記広いデジタル放送を受信しているときに駆動している前記バンドパスフィルタと前記周波数変換部と前記復調部の一部を停止させることで、前記狭いデジタル放送の周波数帯域の大きさに応じた前記バンドパスフィルタと前記周波数変換部と前記復調部とを選択して動作させるものとする。
【００１７】
これにより、周波数帯域の狭いデジタル放送を受信するとき、動作不要となる前記バンドパスフィルタと前記周波数変換部と前記復調部とを停止することができ、その消費電力を低減させることができるとともに、前記チューナで帯域制限する周波数帯域を変更しないため、途切れることなく継続して放送を再生することができる。
【００１８】
又、前記信号結合部において、前記複数の復調部から出力される複数の信号を周波数帯域の低いものから順に時系列に並べることで結合するものとしても構わない。
【００１９】
更に、前記デジタル放送が直交周波数分割多重伝送方式によって伝送されるとともに、１以上のセグメントで構成される高周波信号によって構成され、前記バンドパスフィルタが１セグメントに応じた周波数帯域制限を行い、ｎセグメントの高周波信号によるデジタル放送を受信するとき、ｎ個の前記バンドパスフィルタ、ｎ個の前記周波数変換部、及びｎ個の前記復調部を選択して動作させるものとする。
【００２０】
このとき、前記デジタル放送が３セグメント放送サービスと１セグメント放送サービスであり、３セグメントの内最も低い第１セグメントに対する周波数帯域制限を行う第１バンドパスフィルタと、３セグメントの内前記第１セグメントの次に低い第２セグメントに対する周波数帯域制限を行う第２バンドパスフィルタと、３セグメントの内最も高い第３セグメントに対する周波数帯域制限を行う第３バンドパスフィルタと、前記第１〜第３バンドパスフィルタからの信号それぞれに対して周波数変換して第１〜第３ベースバンド信号を生成する第１〜第３周波数変換部と、該第１〜第３周波数変換部からの前記第１〜第３ベースバンド信号それぞれに対して復調を行う第１〜第３復調部と、を備えるものとしても構わない。
【００２１】
このとき、前記３セグメント放送サービスを受信する場合は、前記第１〜第３バンドパスフィルタ、前記第１〜第３周波数変換部、及び前記第１〜第３復調部を動作させて、前記第１〜第３復調部からの３セグメントそれぞれの信号を前記信号結合部で結合することで、前記３セグメント放送サービスの復調を行う。
【００２２】
又、前記１セグメント放送サービスを受信する場合において、前記３セグメント放送サービスから切り換える場合は、前記第２バンドパスフィルタ、前記第２周波数変換部、及び前記第２復調部をそれぞれ動作させて、前記第２復調部からの１セグメントの信号により、前記１セグメント放送サービスの復調を行う。これにより、前記３セグメント放送サービスから切り換えても、受信している放送を途切れることなく継続して再生することができる。
【００２３】
一方、はじめから前記１セグメント放送サービスを受信するときは、前記第１バンドパスフィルタ、前記第１周波数変換部、及び前記第１復調部をそれぞれ動作させて、前記第１復調部からの１セグメントの信号により、前記１セグメント放送サービスの復調を行う。このとき、前記チューナで受信する周波数帯域を低くすることができ、ＡＤ変換を行うときのサンプリング周波数を下げることができるため、省電力化を図ることができる。
【００２４】
又、前記復調部から出力される信号を復号するデコーダ部と、該デコーダ部で復号されたアナログ信号に基づいて映像及び音声の少なくとも一方を出力する出力部と、を備えるものとすることで、受信した放送の映像又は音声を再生することができる。
【発明の効果】
【００２５】
本発明によると、周波数帯域の狭いデジタル放送を受信するとき、動作不要となるバンドパスフィルタと周波数変換部と復調部とを停止することができ、その消費電力を低減させることができる。そして、このとき、チューナで帯域制限する周波数帯域を変更することなく、受信するデジタル放送を周波数帯域の狭いものに変更することができる。よって、広い周波数帯域のデジタル放送から狭い周波数帯域に切り換えたとき、途切れることなく継続して放送を再生することができる。
【発明を実施するための最良の形態】
【００２６】
本発明の実施の形態について、図面を参照して以下に説明する。図１は、本実施形態におけるデジタル放送受信装置の内部構成を示すブロック図である。
【００２７】
図１のデジタル放送受信装置は、デジタル放送信号となる空中を伝搬するＲＦ信号を受信するアンテナ１０と、アンテナ１０で受信したＲＦ信号を選局するチューナ１１と、チューナ１１で選局して得られたアナログＩＦ信号をデジタルＩＦ信号に変換するＡＤ変換部１２と、ＡＤ変換部１２からのデジタルＩＦ信号に対してヒルベルト変換を行うことで複素ＯＦＤＭ信号を取得するヒルベルト変換部１３と、ヒルベルト変換部１３からの複素ＯＦＤＭ信号から１セグメント分の周波数帯域制限を行うＢＰＦ１４ａ〜１４ｃと、ＢＰＦ１４ａ〜１４ｃそれぞれを通過した複素ＯＦＤＭ信号に対して周波数変換を行ってベースバンド信号を取得する周波数変換部１５ａ〜１５ｃと、周波数変換部１５ａ〜１５ｃからのベースバンド信号それぞれに対して復調を行う１セグメント復調部１６ａ〜１６ｃと、１セグメント復調部１６ａ〜１６ｃそれぞれで復調された１セグメント分の信号を結合するセグメント結合部１７と、セグメント結合部１７で結合された信号に対して信号誤りを除去する復号が行われてＭＰＥＧ−ＴＳ信号を生成するＦＥＣ部１８と、ＦＥＣ部１８からのＭＰＥＧ−ＴＳ信号に対してＭＰＥＧ２方式などの符号化方式で復号して音声信号を生成するデコーダ部１９と、デコーダ部１９からの音声信号により音声を再生出力するスピーカ２０と、を備える。
【００２８】
このように構成されるデジタル放送受信装置によると、図７に示す構成の従来のデジタル放送受信装置と同様、３セグメント放送サービス及び１セグメント放送サービスの受信を行うことができる。以下に、図１に示す構成のデジタル放送受信装置の各動作について、説明する。
【００２９】
（３セグメント放送サービスの受信動作）
まず、３セグメント放送サービスの受信動作について、図２の周波数配置図を参照して説明する。空中を伝搬するＲＦ信号であるＯＦＤＭ信号をアンテナ１０で受信すると、チューナ１１によってＲＦ周波数からＩＦ周波数に周波数変換（ダウンコンバート）がなされる。そして、３セグメント分の周波数帯域制限が行われ、図２（ａ）のような、ＩＦ周波数ＩＦ３となる３セグメント分の周波数帯域によるアナログＯＦＤＭ信号が、チューナ１１から出力される。即ち、１セグメントの周波数帯域の大きさをΔｆとすると、３×Δｆの周波数帯域となるアナログＯＦＤＭ信号がＡＤ変換部１２に与えられることとなる。尚、ＩＦ周波数ＩＦ３は、３セグメント分の周波数帯域の中心周波数である。
【００３０】
チューナ１１からのアナログＯＦＤＭ信号は、ＡＤ変換部１２でアナログデジタル変換されて、デジタルＯＦＤＭ信号とされた後、ヒルベルト変換部１３において、同相成分から直交成分を導出するヒルベルト変換が施されて、複素ＯＦＤＭ信号とされる。この３セグメント分の周波数帯域（３×Δｆの周波数帯域）によって成る複素ＯＦＤＭ信号が、ヒルベルト変換部１３からＢＰＦ１４ａ〜１４ｃそれぞれに送出される。
【００３１】
ＢＰＦ１４ａ〜１４ｃでは、ヒルベルト変換部１３からの複素ＯＦＤＭ信号に対して、１セグメント分の周波数帯域（Δｆの周波数帯域）による帯域制限がなされる。このとき、ＢＰＦ１４ａでは、中心周波数ＩＦ３−ΔｆとなるΔｆの周波数帯域に対して帯域制限を行い、ＢＰＦ１４ｂでは、中心周波数ＩＦ３となるΔｆの周波数帯域に対して帯域制限を行い、ＢＰＦ１４ｃでは、中心周波数ＩＦ３＋ΔｆとなるΔｆの周波数帯域に対して帯域制限を行う。よって、ＩＦ周波数ＩＦ３の３×Δｆの周波数帯域を備えた複素ＯＦＤＭ信号Ｓ０がヒルベルト変換部１３から出力されると、ＢＰＦ１４ａから、図２（ｂ）のような中心周波数ＩＦ３−ΔｆとなるΔｆの周波数帯域に帯域制限された複素ＯＦＤＭ信号Ｓ１が、ＢＰＦ１４ｂから、図２（ｃ）のような中心周波数ＩＦ３となるΔｆの周波数帯域に帯域制限された複素ＯＦＤＭ信号Ｓ２が、ＢＰＦ１４ｃから、図２（ｄ）のような中心周波数ＩＦ３＋ΔｆとなるΔｆの周波数帯域に帯域制限された複素ＯＦＤＭ信号Ｓ３が、それぞれ出力される。
【００３２】
このＢＰＦ１４ａ〜１４ｃそれぞれを通過する複素ＯＦＤＭ信号Ｓ１〜Ｓ３それぞれが、周波数変換部１５ａ〜１５ｃそれぞれに与えられる。周波数変換部１５ａでは、複素ＯＦＤＭ信号Ｓ１に対して周波数ＩＦ３−Δｆ分の周波数変換（ダウンコンバート）を施し、周波数変換部１５ｂでは、複素ＯＦＤＭ信号Ｓ２に対して周波数ＩＦ３分の周波数変換（ダウンコンバート）を施し、周波数変換部１５ｃでは、複素ＯＦＤＭ信号Ｓ３に対して周波数ＩＦ３＋Δｆ分の周波数変換（ダウンコンバート）を施す。よって、周波数変換部１５ａからは、図２（ｅ）のようなベースバンド信号Ｂ１が、周波数変換部１５ｂからは、図２（ｆ）のようなベースバンド信号Ｂ２が、周波数変換部１５ｃからは、図２（ｇ）のようなベースバンド信号Ｂ３が、それぞれ出力される。
【００３３】
そして、周波数変換部１５ａ〜１５ｃそれぞれで得られたベースバンド信号Ｂ１〜Ｂ３それぞれが、１セグメント復調部１６ａ〜１６ｃそれぞれに与えられると、まず、シンボル同期、周波数同期、クロック同期の確立が行われる。その後、１セグメント復調部１６ａ〜１６ｃそれぞれでは、同期が確立されたベースバンド信号Ｂ１〜Ｂ３それぞれに対してＦＦＴ処理を施すことによって、時間軸信号を周波数軸信号に変換した後、サブキャリアに割り当てられている信号を等化する。このように動作することで、１セグメント復調部１６ａ〜１６ｃそれぞれより、ベースバンド信号Ｂ１〜Ｂ３それぞれに対して処理を施して得られた等化信号Ｓａ〜Ｓｃがセグメント結合部１７に出力される。
【００３４】
そして、セグメント結合部１７において、１セグメント復調部１６ａ〜１６ｃそれぞれからの１セグメントの等化信号Ｓａ〜Ｓｃが結合されて、図２（ｈ）のような３セグメントの等化信号が得られる。このセグメント結合部１７の構成について、図３のブロック図を参照して説明する。セグメント結合部１７は、図３に示すように、１セグメントの等化信号が出力される時間Ｔ１だけ遅延させる遅延回路１７１〜１７３と、等化信号Ｓａ〜Ｓｃを加算する加算回路１７４と、を備える。
【００３５】
即ち、遅延回路１７１が１セグメント復調部１６ｂに接続されて、等化信号Ｓｂを時間Ｔ１だけ遅延させ、直列に接続された２つの遅延回路１７２，１７３が１セグメント復調部１６ｃに接続されて、等化信号Ｓｃを時間２×Ｔ１だけ遅延させる。そして、１セグメント復調部１６ａからの等化信号Ｓａと、遅延回路１７１からの時間Ｔ１だけ遅延した等化信号Ｓｂと、遅延回路１７３からの時間２×Ｔ１だけ遅延した等化信号Ｓｃとが、加算回路１７４で加算される。
【００３６】
このようにセグメント結合部１７が構成されるため、１セグメント復調部１６ａ〜１６ｃから同時に与えられる等化信号Ｓａ〜Ｓｃのうち、まず、等化信号Ｓａが加算回路１７４に与えられることとなる。即ち、遅延回路１７１，１７３から信号の出力がないため、加算回路１７４より等化信号ＳａがＦＥＣ部１８に出力される。そして、時間Ｔ１が経過して、等化信号Ｓａが全てＦＥＣ部１８に出力されると、次に、遅延回路１７１で時間Ｔ１だけ遅延された等化信号Ｓｂが加算回路１７４に与えられるため、この等化信号Ｓｂが加算回路１７４よりＦＥＣ部１８に出力される。更に、時間Ｔ１が経過して、等化信号Ｓｂが全てＦＥＣ部１８に出力されると、次に、遅延回路１７２，１７３で時間２×Ｔ１だけ遅延された等化信号Ｓｃが加算回路１７４に与えられるため、この等化信号Ｓｃが加算回路１７４よりＦＥＣ部１８に出力される。
【００３７】
このように、時系列的に、セグメント結合部１７より等化信号Ｓａ〜Ｓｃが順番にＦＥＣ部１８に与えられるため、結果的に、図２（ｈ）のように、３セグメントの等化信号として結合されることとなる。そして、ＦＥＣ部１８において、セグメント結合部１７で結合されて得られた３セグメントの等化信号に対して、デインターリーブやビタビ復号やリードソロモン復号などの復号処理が施され、伝送路での歪みなどにより発生した信号誤りが除去されて、ＭＰＥＧ−ＴＳ信号が生成される。デコーダ部１９において、このＭＰＥＧ−ＴＳ信号に対して、ＭＰＥＧ２などの圧縮符号化方式に基づいて復号処理が施され、音声信号が生成される。よって、デコーダ部１９で得られた音声信号がスピーカ２０に与えられることによって、受信した３セグメント放送サービスにおける番組の音声が再生される。
【００３８】
（１セグメント放送サービスの第１の受信動作）
次に、１セグメント放送サービスの第１の受信動作について、図４の周波数配置図を参照して説明する。この第１の受信動作では、３セグメント放送サービスから切り換えられるものではなく、初めから１セグメント放送サービスを受信するときの受信動作である。
【００３９】
この１セグメント放送サービスの第１の受信動作では、空中を伝搬するＲＦ信号であるＯＦＤＭ信号をアンテナ１０で受信すると、３セグメント放送サービスの受信動作時と同様、チューナ１１によってＲＦ周波数からＩＦ周波数に周波数変換（ダウンコンバート）がなされるが、１セグメント分の周波数帯域制限が行われる。これにより、３セグメント放送サービスの受信動作時と異なり、図４（ａ）のような、ＩＦ周波数ＩＦ１となる１セグメント分の周波数帯域によるアナログＯＦＤＭ信号が、チューナ１１から出力される。尚、このＩＦ周波数ＩＦ１は、１セグメント分の周波数帯域の中心周波数であり、又、図２（ａ）における３セグメント分の周波数帯域によるアナログＯＦＤＭ信号に対するＩＦ周波数ＩＦ３と比べて低い値とされる。このとき、ＩＦ周波数ＩＦ１が、ＩＦ３−ΔＦに設定されるものとする。
【００４０】
そして、ＡＤ変換部１２でアナログデジタル変換されて、デジタルＯＦＤＭ信号とされた後、ヒルベルト変換部１３でヒルベルト変換が施されて、複素ＯＦＤＭ信号とされる。このヒルベルト変換部１３の複素ＯＦＤＭ信号が後段に出力されるが、ヒルベルト変換部１３の後段に接続されたＢＰＦ１４ａ、周波数変換部１５ａ、及び１セグメント復調部１６ａのみを動作させる状態とし、動作不要となるＢＰＦ１４ｂ，１４ｃ、周波数変換部１５ｂ，１５ｃ、及び１セグメント復調部１６ｂ，１６ｃについては停止させて、省電力化を図る。
【００４１】
よって、ヒルベルト変換が施された１セグメント分の周波数帯域による複素ＯＦＤＭ信号は、ＢＰＦ１４ａのみに与えられ、中心周波数ＩＦ１（＝ＩＦ３−ΔＦ）の１セグメント周波数帯域以外の不要な周波数成分が除去されることとなる。そして、図４（ｂ）のようにＢＰＦ１４ａで不要な周波数成分が除去された複素ＯＦＤＭ信号Ｓ１が、周波数変換部１５ａで周波数変換（ダウンコンバート）されることで、図４（ｃ）のような１セグメントのベースバンド信号Ｂ１に変換された後、１セグメント復調部１６ａでサブキャリアに割り当てられた信号に等化されることで、等化信号Ｓａに変換される。
【００４２】
１セグメント復調部１６ａからの等化信号Ｓａは、セグメント結合部１７の加算回路１７４を通じてＦＥＣ部１８に与えられる。そして、ＦＥＣ部１８において、１セグメントの等化信号Ｓａに対して誤り復号がなされることで、ＭＰＥＧ−ＴＳ信号が生成されると、デコーダ部１９において、このＭＰＥＧ−ＴＳ信号に対して復号処理が施され、音声信号が生成される。よって、デコーダ部１９で得られた音声信号がスピーカ２０に与えられることによって、受信した１セグメント放送サービスにおける番組の音声が再生される。
【００４３】
（１セグメント放送サービスの第２の受信動作）
次に、１セグメント放送サービスの第２の受信動作について、図５の周波数配置図を参照して説明する。この第２の受信動作では、上述の第１の受信操作と異なり、３セグメント放送サービスから切り換えられたときの受信動作である。この１セグメント放送サービスの第２の受信動作では、上述の第１の受信動作と異なり、チューナ１１、ＡＤ変換部１２、及びヒルベルト変換部１３が、３セグメント放送サービスを受信するときと同様、３セグメント分の周波数帯域に対する受信動作を行う。
【００４４】
この１セグメント放送サービスの第２の受信動作では、空中を伝搬するＲＦ信号であるＯＦＤＭ信号をアンテナ１０で受信すると、チューナ１１によってＲＦ周波数からＩＦ周波数に周波数変換（ダウンコンバート）がなされる。このとき、３セグメント放送サービスの受信動作時と同様、３セグメント分の周波数帯域制限が行われる。これにより、１セグメント放送サービスの第１の受信動作時と異なり、図５（ａ）のような、ＩＦ周波数ＩＦ３となる３セグメント分の周波数帯域によるアナログＯＦＤＭ信号が、チューナ１１から出力される。
【００４５】
そして、ＡＤ変換部１２でアナログデジタル変換されて、デジタルＯＦＤＭ信号とされた後、ヒルベルト変換部１３でヒルベルト変換が施されて、複素ＯＦＤＭ信号とされる。このヒルベルト変換部１３の複素ＯＦＤＭ信号が後段に出力されるが、ヒルベルト変換部１３の後段に接続されたＢＰＦ１４ｂ、周波数変換部１５ｂ、及び１セグメント復調部１６ｂのみを動作させる状態とし、動作不要となるＢＰＦ１４ａ，１４ｃ、周波数変換部１５ａ，１５ｃ、及び１セグメント復調部１６ａ，１６ｃについては停止させて、省電力化を図る。
【００４６】
よって、上述の第１の受信動作と異なり、ヒルベルト変換が施された３セグメント分の周波数帯域による複素ＯＦＤＭ信号Ｓ０がＢＰＦ１４ｂのみに与えられ、図５（ｂ）のような中心周波数ＩＦ３となるΔｆの周波数帯域に帯域制限された複素ＯＦＤＭ信号Ｓ２が出力される。そして、このＯＦＭＤ信号Ｓ２が周波数変換部１５ｂで周波数変換（ダウンコンバート）されることで、図５（ｃ）のような１セグメントのベースバンド信号Ｂ２に変換された後、１セグメント復調部１６ｂでサブキャリアに割り当てられた信号に等化されることで、等化信号Ｓｂに変換される。
【００４７】
１セグメント復調部１６ｂからの等化信号Ｓｂは、セグメント結合部１７の遅延回路１７１及び加算回路１７４を通じてＦＥＣ部１８に与えられる。そして、ＦＥＣ部１８において、１セグメントの等化信号Ｓｂに対して誤り復号がなされることで、ＭＰＥＧ−ＴＳ信号が生成されると、デコーダ部１９において、このＭＰＥＧ−ＴＳ信号に対して復号処理が施され、音声信号が生成される。よって、デコーダ部１９で得られた音声信号がスピーカ２０に与えられることによって、受信した３セグメント放送サービスにおいて中心に配置された１セグメントにおける階層による番組の音声が再生される。
【００４８】
（３セグメント放送の受信から１セグメント放送サービスの受信への切換動作）
更に、３セグメント放送サービスの受信から１セグメント放送サービスの受信への切換動作について説明する。このような受信する放送サービスの切換動作を行うとき、切り換えられた後の１セグメント放送サービスの受信動作は、上述の第２の受信動作となる。
【００４９】
まず、上述したように、ＢＰＦ１４ａ〜１４ｃ、周波数変換部１５ａ〜１５ｃ、及び１セグメント復調部１６ａ〜１６ｃそれぞれを駆動させることで、チューナ１１で選局された３セグメントのＯＦＤＭ信号より、１セグメントの等化信号Ｓａ〜Ｓｃを生成する。そして、この等化信号Ｓａ〜Ｓｃがセグメント結合部１７で結合され、３セグメントの等化信号を生成すると、ＦＥＣ部１８及びデコーダ部１９で復号することで、３セグメント放送サービスにおける番組の音声をスピーカ２０より再生出力する。
【００５０】
このように３セグメント放送サービスの受信動作を行っているときに、１セグメント放送サービスに切り換える場合、１セグメントの等化信号Ｓｂを生成するＢＰＦ１４ｂ、周波数変換部１５ｂ、及び１セグメント復調部１６ｂを継続して駆動させるとともに、動作不要となるＢＰＦ１４ａ，１４ｃ、周波数変換部１５ａ，１５ｃ、及び１セグメント復調部１６ａ，１６ｃを停止させる。これにより、チューナ１１で選局された３セグメントのＯＦＤＭ信号より、１セグメントの等化信号Ｓｂを生成する。そして、この等化信号Ｓｂがセグメント結合部１７を通じてＦＥＣ部１８に与えられると、ＦＥＣ部１８及びデコーダ部１９で復号することで、１セグメント放送サービスにおける番組の音声をスピーカ２０より再生出力する。
【００５１】
このように動作することで、３セグメント放送サービスから、３セグメント放送サービスの中央に配置されたセグメントによる１セグメント放送サービスに切り換えることができる。尚、この受信する放送サービスの切換については、不図示のユーザインターフェースが操作されることによって実行されるものであっても構わないし、デコーダ部１９においてＭＰＥＧ−ＴＳ信号の再生時間と受信時間との関係より復号遅延の発生を検出したときに実行されるものであっても構わないし、チューナ１１での受信状態が悪化したことを検出したときに実行されるものであっても構わない。
【００５２】
（１セグメント放送の受信から３セグメント放送サービスの受信への切換動作）
又、１セグメント放送サービスの受信から３セグメント放送サービスの受信への切換動作について説明する。このような受信する放送サービスの切換動作を行うとき、切り換えられる前の１セグメント放送サービスの受信動作は、上述の第２の受信動作となる。
【００５３】
まず、上述したように、ＢＰＦ１４ａ，１４ｃ、周波数変換部１５ａ，１５ｃ、及び１セグメント復調部１６ａ，１６ｃを停止させて、ＢＰＦ１４ｂ、周波数変換部１５ｂ、及び１セグメント復調部１６ｂそれぞれを駆動させることで、チューナ１１で選局された３セグメントのＯＦＤＭ信号より、１セグメントの等化信号Ｓｂを生成する。そして、この等化信号Ｓｂがセグメント結合部１７を介してＦＥＣ部１８に与えられると、ＦＥＣ部１８及びデコーダ部１９で復号することで、１セグメント放送サービスにおける番組の音声をスピーカ２０より再生出力する。
【００５４】
このように１セグメント放送サービスの受信動作を行っているときに、３セグメント放送サービスに切り換える場合、ＢＰＦ１４ｂ、周波数変換部１５ｂ、及び１セグメント復調部１６ｂを継続して駆動させるとともに、ＢＰＦ１４ａ，１４ｃ、周波数変換部１５ａ，１５ｃ、及び１セグメント復調部１６ａ，１６ｃをも駆動させる。これにより、チューナ１１で選局された３セグメントのＯＦＤＭ信号より、１セグメントの等化信号Ｓａ〜Ｓｃを生成する。そして、この等化信号Ｓａ〜Ｓｃがセグメント結合部１７で結合され、３セグメントの等化信号を生成すると、ＦＥＣ部１８及びデコーダ部１９で復号することで、３セグメント放送サービスにおける番組の音声をスピーカ２０より再生出力する。
【００５５】
このように動作することで、３セグメント放送サービスの中央に配置されたセグメントによる１セグメント放送サービスから、３セグメント放送サービスに切り換えることができる。尚、この受信する放送サービスの切換については、不図示のユーザインターフェースが操作されることによって実行されるものであっても構わないし、デコーダ部１９においてＭＰＥＧ−ＴＳ信号の再生時間と受信時間との関係より復号遅延の発生が回避できることを検出したときに実行されるものであっても構わないし、チューナ１１での受信状態が良好になったことを検出したときに実行されるものであっても構わない。
【００５６】
尚、本実施形態において、１セグメント放送サービスの第１の受信動作において、第２の受信動作と同様、ＢＰＦ１４ｂ、周波数変換部１５ｂ、及び１セグメント復調部１６ｂを動作させるものとしても構わない。このとき、ＩＦ周波数ＩＦ３となる１セグメント分の周波数帯域によるアナログＯＦＤＭ信号が、チューナ１１から出力される。
【００５７】
又、セグメント結合部１７について、図３の構成に限らず、例えば、図６に示すように、１セグメント復調部１６ａからの等化信号Ｓａを加算回路１７４の入力と出力のいずれに与えるか切り換えるスイッチＳＷ１と、１セグメント復調部１６ｂからの等化信号Ｓｂを遅延回路１７１の入力と加算回路１７４の出力のいずれに与えるか切り換えるスイッチＳＷ２とを備えるものとしても構わない。
【００５８】
このとき、３セグメント放送サービスを受信する場合は、スイッチＳＷ１によって等化信号Ｓａが加算回路１７４に入力されるとともに、スイッチＳＷ２によって等化信号Ｓｂが遅延回路１７１に入力される。一方、１セグメント放送サービスの第１の受信動作を行う場合は、スイッチＳＷ１によって等化信号ＳａがＦＥＣ部１８に直接入力され、又、１セグメント放送サービスの第２の受信動作を行う場合は、スイッチＳＷ２によって等化信号ＳｂがＦＥＣ部１８に直接入力される。よって、１セグメント放送サービスを受信するときは、セグメント結合部１７を構成する遅延回路１７１〜１７３及び加算回路１７４の動作を停止させることができ、消費電力を低減することができる。
【００５９】
更に、本実施形態では、デジタルデコーダ部１９からの映像信号により映像を再生表示するディスプレイ２１をもつものでもよい。又、本実施形態の機能を備えて、セグメント以上のｎセグメントによる放送サービスをも受信可能とする場合、ＢＰＦと周波数変換部と１セグメント復調部とをそれぞれｎ個ずつ備えることによって実現可能である。そして、ＢＰＦと周波数変換部と１セグメント復調部とによる回路をｎ回路全て駆動することで、ｎセグメントの放送サービスを受信し、ＢＰＦと周波数変換部と１セグメント復調部とによる回路を３回路駆動することで、３セグメントの放送サービスを受信し、ＢＰＦと周波数変換部と１セグメント復調部とによる回路を１回路駆動することで、１セグメントの放送サービスを受信することができる。
【産業上の利用可能性】
【００６０】
本発明は、地上波デジタル音声放送又は地上波デジタル放送などのセグメント数の異なるデジタル放送を受信するデジタル放送受信装置に適用可能であり、このデジタル放送受信装置として、携帯電話やＰＤＡなどの、小型で移動体通信可能な携帯端末装置に適用可能である。又、カーナビゲーションシステムやカーＴＶなどの車載端末装置にも適用可能である。更に、受信したデジタル放送を記録することができるデジタル放送記録装置にも適用可能である。
【図面の簡単な説明】
【００６１】
【図１】は、本発明の実施形態における放送受信装置の内部構成を示すブロック図である。
【図２】は、図１の放送受信装置において３セグメント放送サービスを受信する時の各部における信号の周波数配置図である。
【図３】は、図１の放送受信装置におけるセグメント結合部の構成を示すブロック図である。
【図４】は、図１の放送受信装置において１セグメント放送サービスの第１受信動作を行う時の各部における信号の周波数配置図である。
【図５】は、図１の放送受信装置において１セグメント放送サービスの第２受信動作を行う時の各部における信号の周波数配置図である。
【図６】は、図１の放送受信装置におけるセグメント結合部の別の構成を示すブロック図である。
【図７】は、従来の放送受信装置の内部構成を示すブロック図である。
【図８】は、図７の放送受信装置において３セグメント放送サービスを受信する時の各部における信号の周波数配置図である。
【図９】は、図７の放送受信装置において１セグメント放送サービスを受信する時の各部における信号の周波数配置図である。
【符号の説明】
【００６２】
１０    アンテナ
１１    チューナ
１２    ＡＤ変換部
１３    ヒルベルト変換部
１４ａ〜１４ｃ    ＢＰＦ
１５ａ〜１５ｃ    周波数変換部
１６ａ〜１６ｃ    １セグメント復調部
１７    セグメント結合部
１８    ＦＥＣ部
１９    デコーダ部
２０    スピーカ
１７１〜１７３    遅延回路
１７４    加算回路
【図１】
2008085941.tif 000003
【図２】
2008085941.tif 000004
【図３】
2008085941.tif 000005
【図４】
2008085941.tif 000006
【図５】
2008085941.tif 000007
【図６】
2008085941.tif 000008
【図７】
2008085941.tif 000009
【図８】
2008085941.tif 000010
【図９】
2008085941.tif 000011